(57)【要約】【課題】エリア、時間、時系列、個別での在席者の状況を管理できるようにし、さらには、通話のための品質を確保しつつ最小検知エリアを縮小して位置情報の検知精度を高める。【解決手段】ＰＨＳアンテナ（１、８）と無線子機（２、９）との交信により建物内の無線子機の位置情報を抽出して在席者に関する情報を解析するＰＨＳ位置情報を利用した在席者解析システムであって、ＰＨＳアンテナ（１、８）を配置し該アンテナによる最小検知エリアを１乃至複数組み合わせて論理的エリアを設定して位置情報を抽出することにより（３、４）、各論理的エリア毎に在席／不在席の判定を行って在席者数を求め、在席率を含む在席者情報の解析を行い（７）、エリア、時間、時系列、個別での在席者の状況を管理する。【選択図】      図１
2004304464.tif 000002
【特許請求の範囲】
【請求項１】
ＰＨＳアンテナと無線子機との交信により建物内の無線子機の位置情報を抽出して在席者に関する情報を解析するＰＨＳ位置情報を利用した在席者解析システムであって、ＰＨＳアンテナを配置し該アンテナによる最小検知エリアを１乃至複数組み合わせて論理的エリアを設定して位置情報を抽出することにより、各論理的エリア毎に在席／不在席の判定を行って在席者数を求め、在席率を含む在席者情報の解析を行うことを特徴とするＰＨＳ位置情報を利用した在席者解析システム。
【請求項２】
前記在席者情報の解析として、一定時間における平均在席者数による前記在席率を求めることを特徴とする請求項１記載のＰＨＳ位置情報を利用した在席者解析システム。
【請求項３】
前記在席者情報の解析として、前記在席率の時系列変化を求めることを特徴とする請求項１又は２記載のＰＨＳ位置情報を利用した在席者解析システム。
【請求項４】
前記在席者情報の解析として、前記各論理的エリア毎に前記在席率を求めて時系列の変化グラフ表示又は前記在席率に応じた色によるエリア表示により出力することを特徴とする請求項１乃至３のいずれかに記載の在席者解析システム。
【請求項５】
前記ＰＨＳアンテナは、スリットを設けた金属製ボックスに収容されたスリット付金属製ボックス収容型アンテナであることを特徴とする請求項１乃至４のいずれかに記載のＰＨＳ位置情報を利用した在席者解析システム。
【請求項６】
前記ＰＨＳアンテナは、前記金属製ボックス内において前記スリットと直交又は平行の向きに配置されることを特徴とする請求項１乃至５のいずれかに記載のＰＨＳ位置情報を利用した在席者解析システム。
【請求項７】
前記無線子機は、少なくともＰＨＳ子機又は無線タグであることを特徴とする請求項１乃至６のいずれかに記載のＰＨＳ位置情報を利用した在席者解析システム。
【請求項８】
前記金属製ボックスは、使用周波数信号の１波長又は２分の１波長のスリット長を設けたものであることを特徴とする請求項１乃至７のいずれかに記載のＰＨＳ位置情報を利用した在席者解析システム。
【請求項９】
前記金属製ボックスは、正方形の蓋部とボックス部からなり蓋部の中央に前記スリットを設けることにより、蓋部の取り付け方向を９０°変えてスリットの方向を変えられるようにしたことを特徴とする請求項１乃至８のいずれかに記載のＰＨＳ位置情報を利用した在席者解析システム。
【発明の詳細な説明】
【０００１】
【発明の属する技術分野】
本発明は、ＰＨＳアンテナと無線子機との交信により建物内の無線子機の位置情報を抽出して在席者に関する情報を解析するＰＨＳ位置情報を利用した在席者解析システムに関する。
【０００２】
【従来の技術】
構内用ＰＨＳを利用した位置情報表示システムは、ＰＨＳ子機が接続している受信装置（アンテナ）の設置位置からＰＨＳ子機を携帯している各人の在席エリアを算出する個別所在検出管理システムである（例えば、特許文献１参照）。このシステムにより在席・不在席の判定はもとにより、エリア内の人数情報を建物内設備機器の運転制御と連動させることにより省力化、省エネ化を図ることが可能である。
【０００３】
【特許文献１】
特開２０００−２０３８１０号公報
【０００４】
【発明が解決しようとする課題】
上記従来の個別所在検出管理システムは、ＰＨＳ子機を使って所在を検出することにより在室不在室を表示するだけのものであり、例えば全体としてあるいは個別に時間的にどのような在室不在室の状況になっているのか、それが時間帯によりどのように変わっているのかを把握することはできない。また、精度の高い在席位置の判定を行うためには、位置情報の最小検知エリアをできるだけ小さくする必要がある。しかしながら、ＰＨＳ本来の機能である通話のための品質を確保するためには、アンテナ出力を大きくする必要がある。位置情報検知エリアは、このアンテナ出力に依存しているため、従来は、最小検知エリアがアンテナの接続範囲である半径３０ｍ〜５０ｍにも及び、本来の目的を達成できる精度を得るのは難しかった。
【０００５】
【課題を解決するための手段】
本発明は、上記課題を解決するものであって、エリア、時間、時系列、個別での在席者の状況を管理できるようにし、さらには、通話のための品質を確保しつつ最小検知エリアを縮小して位置情報の検知精度を高めることができるようにするものである。
【０００６】
そのために本発明は、ＰＨＳアンテナと無線子機との交信により建物内の無線子機の位置情報を抽出して在席者に関する情報を解析するＰＨＳ位置情報を利用した在席者解析システムであって、ＰＨＳアンテナを配置し該アンテナによる最小検知エリアを１乃至複数組み合わせて論理的エリアを設定して位置情報を抽出することにより、各論理的エリア毎に在席／不在席の判定を行って在席者数を求め、在席率を含む在席者情報の解析を行うことを特徴とするものである。
【０００７】
前記在席者情報の解析として、一定時間における平均在席者数による前記在席率を求め、前記在席率の時系列変化を求め、前記各論理的エリア毎に前記在席率を求めて時系列の変化グラフ表示又は前記在席率に応じた色によるエリア表示により出力することを特徴とするものである。
【０００８】
前記ＰＨＳアンテナは、スリットを設けた金属製ボックスに収容されたスリット付金属製ボックス収容型アンテナであり、前記金属製ボックス内において前記スリットと直交又は平行の向きに配置され、前記無線子機は、少なくともＰＨＳ子機又は無線タグであり、前記金属製ボックスは、使用周波数信号の１波長又は２分の１波長のスリット長を設け、正方形の蓋部とボックス部からなり蓋部の中央に前記スリットを設けることにより、蓋部の取り付け方向を９０°変えてスリットの方向を変えられるようにしたことを特徴とするものである。
【０００９】
【発明の実施の形態】
以下、本発明の実施の形態を図面を参照しつつ説明する。図１は本発明に係るＰＨＳ位置情報を利用した在席者解析システムの実施の形態を示す図である。図中、１、８はスリット付金属製ボックス収容型アンテナ、２はＰＨＳ子機、３はＰＢＸ、４は位置情報データ抽出システム、６は位置情報表示システム、７は在席率解析システム、９は無線タグを示す。
【００１０】
図１において、スリット付金属製ボックス収容型アンテナ１、８は、スリットを設けたスリット付金属製ボックスにＰＨＳ（パーソナル・ハンディフォーン・システム）受信装置であるＰＨＳアンテナを収容したものであり、このスリット付金属製ボックスにより位置情報を検知する最小検知エリアを簡便に調整、縮小できるようにしている。ＰＨＳ子機２、無線タグ９は、各人が携帯するものであり、最小検知エリアでスリット付金属製ボックス収容型アンテナ１と通話のための品質が確保されるようになっている。
【００１１】
位置情報データ抽出システム４は、ＰＢＸ（交換機）３、スリット付金属製ボックス収容型アンテナ１を介してＰＨＳ子機２と交信することにより、ＰＨＳ子機２が接続されているスリット付金属製ボックス収容型アンテナ１の位置からそのＰＨＳ子機２の位置情報データを抽出するものである。位置情報表示システム６は、建物のフロア、検知エリア、論理エリア、子機などの設定、登録、位置情報データ抽出システム４により抽出される各ＰＨＳ子機２の位置情報データに基づき、各子機の位置情報の検索、表示、在席／不在席等、位置情報の表示を行うものである。
【００１２】
在席率解析システム７は、ＰＨＳアンテナを配置し該アンテナによる最小検知エリアを１乃至複数組み合わせて論理的エリアを設定して、位置情報データ抽出システム４により位置情報を抽出し各ＰＨＳ子機２の位置情報データに基づき、各論理的エリア毎に在席／不在席の判定を行って在席者数を求め、在席率を含む在席者情報の解析を行うものである。その在席者情報の解析としては、例えば各時間帯や曜日、時期などにおける在席率の時系列変化、各論理的エリア毎に在席率を求めて時系列の変化をグラフ表示により出力する。また、各論理的エリア毎に在席者数を求めて、建物内全人員の数、建物内フロア別人員の数、建物内エリア別人員の数を求め、それらの一覧表示、フロア毎、エリア別人員の数、在席率に応じた色によるエリア表示により出力する。さらには、個人名、内線番号から対象者の現在・指定時の位置情報、移動情報、在席率情報などを出力する。
【００１３】
図１に示す実施形態では、例えば建物内にいる各人が携帯するＰＨＳ子機２、無線タグ９のスリット付金属製ボックス収容型アンテナ１、８の配置から決まる位置情報エリアに対するデータを取り込み（フロー▲１▼）、位置情報データ抽出システム４において位置情報表示システム６及び在席率解析システム７に対応したフォーマットに位置情報を変換する（フロー▲２▼）。この時のフォーマットは、ＰＨＳシステムのみ、ＰＨＳシステム＋無線タグシステム、無線タグシステムのみの３パターンの入力に対応する。そして、位置情報表示システム６においては、位置情報の目的に合わせた論理的エリアに合わせて位置情報を表示する（フロー▲３▼）。位置情報は、ネットワークに対応したグラフィカルなユーザインターフェイスを持つ。同様に在席率解析システム７においては、在席率を表示する（フロー▲４▼）。このとき、表示可能な項目としては、例えば論理的エリアの在席率時系列表示、端末移動情報表示、指定日時位置情報表示などがある。
【００１４】
上記実施形態により、位置情報表示システムでは、特別な設備や操作を必要とせずに、本人が意識することなく現在位置の情報をリアルタイムに表示することができ、在席率解析システム７では、調査対象者の記憶に頼っていた位置情報を、自動的に記録することにより精度が向上し、在席者情報の解析により、例えばアンケートを記入するための手間を省略でき、膨大な集計データの整理にかかる手間と時間を短縮することができる。
【００１５】
次に、本実施形態で用いているスリット付金属製ボックス収容型アンテナについて詳述する。図２はスリット付金属製ボックス収容型アンテナのスリット配置を説明するための図、図３は通信可能エリアの違いを説明するための図、図４はスリット付金属製ボックスの概要を説明するための図である。
【００１６】
本発明で用いられるスリット付金属製ボックス収容型アンテナ１には、ＰＨＳアンテナ１ａの向きに対して金属製ボックス１ｂのスリット１ｃを図２（Ａ）に示すように直交配置させるものと、図２（Ｂ）に示すように平行配置するものとがある。ここでスリット１ｃはダイポールアンテナと同等の効果をみせることにより、図３（Ａ）に示すように無指向性であった通話可能エリアに図３（Ｂ）に示すように指向性を持たせることができる。このとき、スリット長は、アンテナの効果を出現させるために、例えばＰＨＳ信号１．９ＧＨｚの１波長１６０ｍｍ、１／２波長８０ｍｍとされる。さらにスリット付金属製ボックス収容型アンテナ１は、スリット付金属性ボックス１ｂに入れることにより、居室内での電界強度を減少させることが可能になり、通話可能エリアを縮小させる効果もある。したがって、図１で説明したようにＰＨＳアンテナのみならず、無線タグ等の位置情報に利用可能なアンテナにも有効である。
【００１７】
スリット付金属製ボックス１ｂは、例えばＳＵＳなどの金属材料を用い、ＰＨＳ信号１．９ＧＨｚの１波長１６０ｍｍの長さのスリット１ｃを設ける場合、その幅を１０ｍｍとし、図４（Ａ）に示すような縦・横３００〜４００ｍｍの金属性蓋部１ｂ１と、図４（Ｂ）に示すような高さ４０ｍｍ〜６０ｍｍ程度の金属性ボックス部１ｂ２とにより構成される。勿論、これらの値に全てが限定されるものではなく、例えばスリット１ｃは、カッターによる切り込み幅程度までさらに細く（極細に）してもよい。この場合の実施形態としては、例えば極細のスリットを設けた金属テープをスリット１ｃの上に貼り付けることによっても簡便に実現できる。しかも、このような実現方法によれば、種々のスリット幅の極細スリット付金属テープを用意し貼り換えることができ、スリット幅を簡単に調整できるようになる点でもより便利な方法といえる。また、金属性ボックス部１ｂ２の横面には適宜接続線引出しのための小さな開口部が設けられる。
【００１８】
また、金属性ボックス部１ｂ２の折り曲げて立ち上げている４隅部は、ハンダ付けや溶接処理され、金属性ボックス部１ｂ２の上面に対して金属性蓋部１ｂ１は、ビス止めで取り付け固定される。金属性ボックス部１ｂ２の上面に設けられている一定幅の折り曲げ部は、金属性ボックス部１ｂ２の上面と金属性蓋部１ｂ１との隙間からの漏れを防いでいる。なお、縦・横のサイズを同じにすることで、金属性蓋部１ｂ１の取り付け方向を９０度変えることができるので、スリットを直交、平行のいずれの方向の配置にも対応できるようになっている。
【００１９】
次に、本実施形態のスリット付金属製ボックス収容型アンテナによる具体的な通信可能エリアの違いについて説明する。図５は金属製ボックスなしのアンテナにおける出力電界強度の分布を示す図、図６はスリット直交配置のスリット付金属製ボックス収容型アンテナにおける出力電界強度の分布を示す図、図７はスリット平行配置のスリット付金属製ボックス収容型アンテナにおける出力電界強度の分布を示す図である。
【００２０】
まず、検証では、実建物居室で、間仕切りなしの大部屋（約５０ｍ×１６ｍ、Ａ〜Ｑ×▲１▼〜▲６▼）で、机・椅子・棚（金属製）が配置され、アンテナの出力レベル調整（強、中、弱）３パターン×アンテナ指向性制御（金属製ボックスなし、スリット直交配置、スリット平行配置のそれぞれスリット付金属製ボックス収容型アンテナ）３パターンの計９パターンについて、それぞれの電界強度をＰＨＳ子機により測定した。なお、スリット長は１／２波長（８０ｍｍ）とし、アンテナは、ＢＳで示すＨ−▲１▼の位置に設置した。
【００２１】
良好な通話を行うには出力が３５ｄＢ以上必要であるが、金属製ボックスなしのアンテナを用いると、それぞれアンテナ出力「強」の場合には図５（Ａ）、「中」の場合には図５（Ｂ）、「弱」の場合には図５（Ｃ）に示す出力電界強度になり、アンテナ出力が「弱」においても半径１２ｍ〜１３ｍ（２スパン）程度、面積にして４５０〜５３０ｍ２  程度の通信可能エリアになってしまう。
【００２２】
しかし、本実施形態で示したスリット直交配置のスリット付金属製ボックス収容型アンテナを用いると、それぞれアンテナ出力「強」の場合には図６（Ａ）、「中」の場合には図６（Ｂ）、「弱」の場合には図６（Ｃ）に示す出力電界強度になるので、アンテナ出力が「中」において、約６ｍ〜１０ｍ（６０ｍ２  ）程度まで通信可能エリアを調整できることが確認できた。さらにスリット平行配置のスリット付金属製ボックス収容型アンテナを用いると、それぞれアンテナ出力「強」の場合には図７（Ａ）、「中」の場合には図７（Ｂ）、「弱」の場合には図７（Ｃ）に示す出力電界強度になり、アンテナ出力が「強」においても、約１２ｍ〜１２ｍ（１４４ｍ２  ）程度まで通信可能エリアを調整できることが確認できた。
【００２３】
また、上記検証結果によれば、スリット付金属製ボックス収容型アンテナを採用することにより、円形であった通信可能エリアに指向性を持たせることを可能とし、スリットの向きとボックス内アンテナ配置を組み合わせることにより、最小検知エリアを縮小させる効果もあることが確認できた。
【００２４】
図８は最小検知エリアを縮小して実現できる位置情報利用の目的に応じた計画例とその効果を説明するための図である。
人数情報を設備機器の運転制御に連動させる際には、設備機器である例えば空調機が受け持つエリア区分や照明器具の点滅区分が位置情報のエリアと整合がとれている必要がある。例えば空調エリアでは、２〜３スパン（１２ｍ〜２０ｍ）程度、照明設備では１スパン（６ｍ）程度で分割されていることがある。また、在席率を解析しＦＭ（ファシリティ・マネジメント）業務へ利用する場合には、部署単位での位置情報が必要になる。
【００２５】
そのためには、スパン単位でエリアの分割を可能にすると、位置情報を検知する最小エリアの調整、設備機器の運転制御や在席率解析等へ対応した論理的エリアの設定がより柔軟に対応できることになる。居室内にアンテナを配置することにより、アンテナ配置から決まる最小検知エリアの分布が例えば図８（Ａ）に示すように▲１▼〜▲６▼に調整されると、図８（Ｂ）に示すように空調機の運転制御範囲に合わせて、最小検知エリアを１乃至複数組み合わせることにより、最小検知エリア▲１▼と▲４▼を組み合わせて論理エリア「Ａ」、最小検知エリア▲２▼と▲５▼を組み合わせて論理エリア「Ｂ」、最小検知エリア▲３▼と▲６▼を組み合わせて論理エリア「Ｃ」の３つでの位置情報を利用することができ、また、図８（Ｃ）に示すように在席率を解析したいエリアに合わせて、最小検知エリア▲１▼、▲２▼、▲４▼、▲５▼を組み合わせて論理エリア「イ」、最小検知エリア▲３▼、▲６▼を組み合わせて論理エリア「ロ」として解析を行うことができる。このように最小検知エリアを小さくすることにより、目的に応じた位置情報利用が可能となる。
【００２６】
次に、エリアの在席率時系列表示や、端末移動情報表示、指定日時位置情報表示、エリアの在席率コンタ表示を行う本発明に係るＰＨＳ位置情報を利用した在席者解析システムの実施の形態を各画面により説明する。まず、本実施形態のＰＨＳ位置情報を利用した在席者解析システムでは、データ解析のための端末（ＰＨＳ子機、無線タグ）及びエリア初期設定情報を建物条件初期設定データとしてデータベースに格納し、各端末の位置情報を取得する。
【００２７】
エリアの在席率時系列表示を行う場合には、図９に示す画面で「グラフ」より表示したいエリア（フロア）指定を行う。図９は在席率時系列表示の指定画面の例を示す図、図１０は在席率の表示出力画面の例を示す図、図１１は「週間（前）」の表示出力画面の例を示す図、図１２、図１３はデータ集計例を説明するための図、図１４は表示項目の例を示す図である。
【００２８】
図９に示す在席率時系列表示の指定画面では、エリアは複数選択可能とし、複数フロアを表示したい場合には一旦表示完了後、フロアを選択しなおして繰り返し別画面で開くようにし、データは、３０分毎の平均値としている。図１０に示す在席率の表示出力画面では、指定した月日の情報の表示として、例えば今日を指定した場合にはその時間までを表示し、「週間（前）」、「週間（後）」ボタンにより指定日よりそれぞれ１週間＋１日及び平均のデータを表示する。
【００２９】
グラフの縦軸は在席率、人数に切り替え可能とし、在席率は、予め設定した各エリアに関連付けられた端末数を分母に、その時刻に当該エリア内にいる端末数を分子として計算する。その際の分子は、▲１▼エリアに登録された端末数、▲２▼エリア内の端末数に切り替え可能としている。また、「平均」計算には、休日、祝祭日は除き、人数表示は、同様に▲１▼エリアに登録された端末数、▲２▼エリア内の端末数に切り替え可能としている。「エクセル出力」ボタンでは、指定日の前後１週間のデータを出力する。
【００３０】
例えば人数表示は、図１２に示す１０分間隔、図１３に示す５分間隔でそれぞれのエリアの生データが表示され、在席率表示では、３０分間隔で集計してそれぞれのエリアの在席率（％）が表示される。このようにしてエリア内登録端末の在席率や人数、エリア内端末の在席率や人数について１日単位、「週間（前）」、「週間（後）」の表示を行う。
【００３１】
次に、端末移動情報の表示を行う場合には、図１５に示す画面で「グラフ」より表示したい端末、グループの指定を行う。図１５は端末移動情報表示の指定画面の例を示す図、図１６は端末移動履歴（時系列）表示画面の例を示す図、図１７は統計表示画面の例を示す図、図１８は在席割合の表示例を示す図である。
【００３２】
図１５に示す指定画面では、グループ、内線番号、端末名称、端末番号などの表示分類を選択し、日付を入力し、「ＯＫ」ボタンで図１６に示す端末移動履歴（時系列）画面が表示され、「統計」ボタンで図１７に示す統計表示画面に遷移し、各端末の所在地ＴＯＰ１０が表示される。ここから「時系列」ボタンで端末履歴表示に戻り、「エクセル」ボタンでエクセル出力に遷移し、「コンタ表示」ボタンで図１８に示す画面に遷移し選択した端末についてエリア毎の在席割合が色で表示される。
【００３３】
指定日時位置情報表示を行う場合には、図１９に示す画面で「グラフ」より表示したいフロア（複数選択可能）、日時の指定を行う。図１９は指定日時位置情報表示の指定画面の例を示す図、図２０は「全館」指定時の表示画面の例を示す図、図２１はエリアの在席率コンタ表示画面の例を示す図である。
【００３４】
図１９に示す指定画面では、日時と時刻は例えば「２００２年１２月１日、１５：３０」のようにピンポイントによる指定となり、フロア指定にて「全館」を選択した場合には、図２０に示す全館の在席率を表示した画面に遷移し、「フロア」ボタンで、直接指定フロアの平面図に遷移する。「合計」は、フロアあたりの登録人数より計算するものであり、同様に全館の在席率も計算する。
【００３５】
エリアの在席率コンタ表示を行う場合には、上記指定したフロアにおいて、「コンタ表示」の切り替えによる各エリアの在席率に応じた色にて図２１に示すような表示を行う。なお、これらの表示は、「人数」にも切り替え可能になっている。
【００３６】
なお、本発明は、上記実施の形態に限定されるものではなく、種々の変形が可能である。例えば上記実施の形態では、位置情報を利用した在席者解析システムとして、位置情報データを抽出して在席率の解析を行うシステムを説明したが、入退出管理や、設備機器制御、個別に通報、報知するシステム利用するものであってもよい。
【００３７】
【発明の効果】
以上の説明から明らかなように、本発明によれば、ＰＨＳアンテナと無線子機との交信により建物内の無線子機の位置情報を抽出して在席者に関する情報を解析するＰＨＳ位置情報を利用した在席者解析システムであって、ＰＨＳアンテナを配置し該アンテナによる最小検知エリアを１乃至複数組み合わせて論理的エリアを設定して位置情報を抽出することにより、各論理的エリア毎に在席／不在席の判定を行って在席者数を求め、在席率を含む在席者情報の解析を行うので、エリア、時間、時系列、個別での在席者の状況を管理できる。
【００３８】
在席者情報の解析として、一定時間における平均在席者数による在席率を求め、在席率の時系列変化を求め、各論理的エリア毎に在席率を求めて時系列の変化グラフ表示又は在席率に応じた色によるエリア表示により出力するので、部署単位での高精度の位置情報を取得することができ、しかも、在席者情報が分かりやすく提示され、ＦＭ（ファシリティ・マネジメント）業務にも有効に活用することができる。
【００３９】
ＰＨＳアンテナは、スリットを設けた金属製ボックスに収容されたスリット付金属製ボックス収容型アンテナであり、金属製ボックス内においてスリットと直交又は平行の向きに配置され、無線子機は、少なくともＰＨＳ子機又は無線タグであり、金属製ボックスは、使用周波数信号の１波長又は２分の１波長のスリット長を設けたものであり、また、正方形の蓋部とボックス部からなり蓋部の中央にスリットを設けることにより、蓋部の取り付け方向を９０°変えてスリットの方向を変えられるようにしたので、アンテナの向きとスリットの方向を変え、あるいはアンテナ出力を変えることにより簡便に最小検知エリアを調整、縮小することができ、簡単な構成の付加、調整により通話のための品質を確保しつつ最小検知エリアを縮小して位置情報の検知精度を高めることができる。
【図面の簡単な説明】
【図１】本発明に係るＰＨＳ位置情報を利用した在席者解析システムの実施の形態を示す図である。
【図２】スリット付金属製ボックス収容型アンテナのスリット配置を説明するための図である。
【図３】通信可能エリアの違いを説明するための図である。
【図４】スリット付金属製ボックスの概要を説明するための図である。
【図５】金属製ボックスなしのアンテナにおける出力電界強度の分布を示す図である。
【図６】スリット直交配置のスリット付金属製ボックス収容型アンテナにおける出力電界強度の分布を示す図である。
【図７】スリット平行配置のスリット付金属製ボックス収容型アンテナにおける出力電界強度の分布を示す図である。
【図８】最小検知エリアを縮小して実現できる位置情報利用の目的に応じた計画例とその効果を説明するための図である。
【図９】在席率時系列表示の指定画面の例を示す図である。
【図１０】在席率の表示出力画面の例を示す図である。
【図１１】「週間（前）」の表示出力画面の例を示す図である。
【図１２】データ集計例を説明するための図である。
【図１３】データ集計例を説明するための図である。
【図１４】表示項目の例を示す図である。
【図１５】端末移動情報表示の指定画面の例を示す図である。
【図１６】端末移動履歴（時系列）表示画面の例を示す図である。
【図１７】統計表示画面の例を示す図である。
【図１８】在席割合の表示例を示す図である。
【図１９】指定日時位置情報表示の指定画面の例を示す図である。
【図２０】「全館」指定時の表示画面の例を示す図である。
【図２１】エリアの在席率コンタ表示画面の例を示す図である。
【符号の説明】
１、８…スリット付金属製ボックス収容型アンテナ、２…ＰＨＳ子機、３…ＰＢＸ、４…位置情報データ抽出システム、６…位置情報表示システム、７…在席率解析システム、９…無線タグ
【図１】
2004304464.tif 000003
【図２】
2004304464.tif 000004
【図３】
2004304464.tif 000005
【図４】
2004304464.tif 000006
【図５】
2004304464.tif 000007
【図６】
2004304464.tif 000008
【図７】
2004304464.tif 000009
【図８】
2004304464.tif 000010
【図９】
2004304464.tif 000011
【図１０】
2004304464.tif 000012
【図１１】
2004304464.tif 000013
【図１２】
2004304464.tif 000014
【図１３】
2004304464.tif 000015
【図１４】
2004304464.tif 000016
【図１５】
2004304464.tif 000017
【図１６】
2004304464.tif 000018
【図１７】
2004304464.tif 000019
【図１８】
2004304464.tif 000020
【図１９】
2004304464.tif 000021
【図２０】
2004304464.tif 000022
【図２１】
2004304464.tif 000023